(57)【特許請求の範囲】
【請求項１】
ランダムアクセス応答方法であって、
物理ランダムアクセスチャネルＰＲＡＣＨに検索し、予め設定された範囲とマッチングするプリアンブルシーケンスを取得することと、
割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断することと、
非競合ランダムアクセスプリアンブルシーケンスが存在すると確定した場合、前記非競合ランダムアクセスプリアンブルシーケンスに対応する非競合ランダムアクセスのためにランダムアクセス応答ＲＡＲリソースを優先的に割り当てて、非競合ランダムアクセスに対応するＲＡＲリソース割り当てが終了した後に、競合ランダムアクセスプリアンブルシーケンスに対応する競合ランダムアクセスに対応するＲＡＲリソースを割り当てることとを含む方法。
【請求項２】
前記方法は、
非競合ランダムアクセスプリアンブルシーケンスが存在しないと確定した場合、競合ランダムアクセスプリアンブルシーケンスに対応する競合ランダムアクセスのためにＲＡＲリソースを予め設定された順番で割り当てるステップをさらに含むことを特徴とする
請求項１に記載のランダムアクセス応答方法。
【請求項３】
割り当てられた非競合ランダムアクセスプリアンブルシーケンスと前記マッチングされたプリアンブルシーケンスを比較して、前記マッチングされたプリアンブルシーケンスに非競合ランダムアクセスが存在するかどうかを判断する前記ステップの前に、前記方法は、
前記マッチングされたプリアンブルシーケンスを非競合ランダムアクセスプリアンブルシーケンスと競合ランダムアクセスプリアンブルシーケンスに分けるステップをさらに含むことを特徴とする
請求項１または２に記載のランダムアクセス応答方法。
【請求項４】
前記予め設定された順番は、前記競合ランダムアクセスプリアンブルシーケンス昇順または降順を含むことを特徴とする
請求項２に記載のランダムアクセス応答方法。
【請求項５】
ＰＲＡＣＨに検索し、予め設定された範囲とマッチングするプリアンブルシーケンスを取得するように構成されるプリアンブルシーケンス取得モジュールと、
割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断するように構成されるランダムアクセス判断モジュールと、
前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを優先的に割り当てて、非競合ランダムアクセスに対応するＲＡＲリソース割り当てが終了した後に、競合ランダムアクセスプリアンブルシーケンスに対応する競合ランダムアクセスに対応するＲＡＲリソースを割り当てるように構成されるランダムアクセス応答モジュールとを含むランダムアクセス応答装置。
【請求項６】
前記ランダムアクセス応答モジュールは、さらに、
前記マッチングされたプリアンブルシーケンスに非競合ランダムアクセスプリアンブルシーケンスが存在しないと確定した場合、競合ランダムアクセスプリアンブルシーケンスに対応する競合ランダムアクセスのためにＲＡＲリソースを予め設定された順番で割り当てるように構成されることを特徴とする
請求項５に記載のランダムアクセス応答装置。
【請求項７】
前記装置は、
前記マッチングされたプリアンブルシーケンスを非競合ランダムアクセスプリアンブルシーケンスと競合ランダムアクセスプリアンブルシーケンスに分けるように構成されるランダムアクセス分類モジュールをさらに含むことを特徴とする
請求項５または６に記載のランダムアクセス応答装置。
【請求項８】
前記予め設定された順番は、前記競合ランダムアクセスプリアンブルシーケンス昇順または降順を含むことを特徴とする
請求項６に記載のランダムアクセス応答装置。
【発明の詳細な説明】
【技術分野】
【０００１】
本発明は、通信技術分野に関し、特にランダムアクセス応答方法および装置に関する。
【背景技術】
【０００２】
ランダムアクセスは、ユーザー装置（ＵＥ：Ｕｓｅｒ  Ｅｑｕｉｐｍｅｎｔ）がネットワークとの通信を開始する前に行うアクセスプロセスであり、上りリンク同期とＵＥ識別子を取得することを目的とする。ランダムアクセスチャネル（ＲＡＣＨ：Ｒａｎｄｏｍ  Ａｃｃｅｓｓ  Ｃｈａｎｎｅｌ）は、上りリンク同期を取得しないまたは失ったＵＥが上りリンク同期を実現することに用いられる。一旦ＵＥが上りリンク同期を完了すると、発展型基地局（ｅＮＢ：ｅｖｏｌｖｅｄ  ＮｏｄｅＢ）は、ＵＥのために上りリンクリソースをスケジューリングすることができる。ランダムアクセスは、競合ランダムアクセスと非競合ランダムアクセスの２つのタイプを含む。
【０００３】
ここで、競合ランダムアクセスは、基地局が事前にランダムアクセスプロセスの開始を知らずに、ＵＥがセルシステム情報ブロック（ＳＩＢ：Ｓｙｓｔｅｍ  Ｉｎｆｏｒｍａｔｉｏｎ  Ｂｌｏｃｋ）情報に基づいて、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を送信する時間−周波数リソースおよびプリアンブルシーケンスインデックスが含まれるランダムアクセスリソースを選択することを意味する。したがって、複数のＵＥが同時にランダムアクセスプロセスを開始する場合、複数のＵＥが同じランダムアクセスリソースを選択する可能性があり、同時にアクセスされるＵＥの個数が制限され、同時にアクセスを開始する複数のＵＥの間に競合関係が存在するので、いくつかのＵＥが新たにアクセスプロセスを開始し、アクセス遅延を増やしてしまう。非競合ランダムアクセスは、基地局が事前にランダムアクセスプロセスの開始を知り、そしてランダムアクセスプロセスを開始しようとするＵＥに特定のリソースを割り当てることを意味している。
【０００４】
基地局は、ＰＲＡＣＨに異なるプリアンブルシーケンスを順次用いて検索し、マッチングすれば、ＵＥにランダムアクセスプロセスを開始することを示し、それに応答し、即ちランダムアクセス応答（ＲＡＲ：Ｒａｎｄｏｍ  Ａｃｃｅｓｓ  Ｒｅｓｐｏｎｓｅ）を送信する。基地局は、同じ伝送時間間隔（ＴＴＩ：Ｔｒａｎｓｍｉｓｓｉｏｎ  Ｔｉｍｅ  Ｉｎｔｅｒｖａｌ）内に検出された複数のプリアンブルシーケンスに応答し、同じＴＴＩ内に複数のプリアンブルシーケンスを検出し、且つＭＳＧ２に携帯されることが可能なＲＡＲの個数が検出されたプリアンブルシーケンスより少ない場合、基地局は、優先的にどのプリアンブルシーケンスに応答するかを決定する必要があるが、現在のプロトコルにおいて上記の状況に対して明確な解決方法が与えられない。
【発明の概要】
【発明が解決しようとする課題】
【０００５】
本発明の実施例の主な目的は、複数のＵＥが同時にランダムアクセスを開始する場合に、基地局が異なるアクセスタイプに応じて異なる優先順位の応答を行うことを実現するように、ランダムアクセス応答方法および装置を提供することである。
【課題を解決するための手段】
【０００６】
本発明の実施例に係るランダムアクセス応答方法は、
ＰＲＡＣＨに検索し、予め設定された範囲とマッチングするプリアンブルシーケンスを取得することと、
割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断することと、
非競合ランダムアクセスプリアンブルシーケンスが存在すると確定した場合、前記非競合ランダムアクセスプリアンブルシーケンスに対応する非競合ランダムアクセスのためにＲＡＲリソースを割り当てることとを含む。
【０００７】
好ましくは、前記方法は、
非競合ランダムアクセスプリアンブルシーケンスが存在しないと確定した場合、競合ランダムアクセスプリアンブルシーケンスに対応する競合ランダムアクセスのためにＲＡＲリソースを予め設定された順番で割り当てるステップをさらに含む。
【０００８】
好ましくは、割り当てられた非競合ランダムアクセスプリアンブルシーケンスと前記マッチングされたプリアンブルシーケンスを比較して、前記マッチングされたプリアンブルシーケンスに非競合ランダムアクセスが存在するかどうかを判断する前記ステップの前に、前記方法は、
前記マッチングされたプリアンブルシーケンスを非競合ランダムアクセスプリアンブルシーケンスと競合ランダムアクセスプリアンブルシーケンスに分けるステップをさらに含む。
【０００９】
好ましくは、前記予め設定された順番は、前記競合ランダムアクセスプリアンブルシーケンス昇順または降順を含む。
【００１０】
本発明の実施例に係るランダムアクセス応答装置は、
ＰＲＡＣＨに検索し、予め設定された範囲とマッチングするプリアンブルシーケンスを取得するように構成されるプリアンブルシーケンス取得モジュールと、
割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断するように構成されるランダムアクセス判断モジュールと、
前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを割り当てるように構成されるランダムアクセス応答モジュールとを含む。
【００１１】
前記ランダムアクセス応答モジュールは、さらに、
前記マッチングされたプリアンブルシーケンスに非競合ランダムアクセスプリアンブルシーケンスが存在しないと確定した場合、競合ランダムアクセスプリアンブルシーケンスに対応する競合ランダムアクセスのためにＲＡＲリソースを予め設定された順番で割り当てるように構成される。
【００１２】
好ましくは、前記装置は、さらに、
前記マッチングされたプリアンブルシーケンスを前記非競合ランダムアクセスプリアンブルシーケンスと前記競合ランダムアクセスプリアンブルシーケンスに分けるように構成されるランダムアクセス分類モジュールをさらに含む。
【００１３】
本発明の実施例において、ＰＲＡＣＨに検索し、予め設定された範囲とマッチングするプリアンブルシーケンスを取得し、割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを割り当てる方法により、複数のＵＥが同時にランダムアクセスを開始する場合に、基地局が異なるアクセスタイプに応じて異なる優先順位の応答を行うという有益な効果を達成し、リソース利用率とシステム全体性能を向上させ、非競合ランダムアクセス遅延を低減させる。
【図面の簡単な説明】
【００１４】
【図１】本発明に係るランダムアクセス応答方法の第一の実施例のプロセスを示す図である。
【図２】本発明の実施例に係るランダムアクセス応答方法におけるランダムアクセス信号流れ図である。
【図３】本発明の実施例に係るランダムアクセス応答方法におけるＲＡＲのメンバ構成を示す図である。
【図４】本発明に係るランダムアクセス応答方法におけるＭＡＣサブヘッダとＭＡＣ  ＲＡＲが含まれるＭＡＣ  ＰＤＵを示す図である。
【図５】本発明に係るランダムアクセス応答方法の第二の実施例のプロセスを示す図である。
【図６】本発明の実施例に係るランダムアクセス応答方法における競合に基づくランダムアクセス信号流れ図である。
【図７】本発明に係るランダムアクセス応答方法の第三の実施例のプロセスを示す図である。
【図８】本発明に係るランダムアクセス応答装置の第一の実施例の構成を示す図である。
【図９】本発明に係るランダムアクセス応答装置の第二の実施例の構成を示す図である。
【発明を実施するための形態】
【００１５】
本発明の実施例の目的、機能特徴および利点を、実施例と組み合わせて図面を参照してさらに説明する。
【００１６】
以下、図面および明細書の具体的な実施例を参照して本発明の技術的なスキームをさらに説明する。本明細書に記載の具体的な実施例は、本発明を解釈することに用いられるだけであり、本発明を限定することに用いられるものではない。
【００１７】
図１を参照して、図１は本発明に係るランダムアクセス応答方法の第一の実施例のプロセスを示す図である。図１に示すように、本発明の実施例に係るランダムアクセス応答方法は、以下のステップを含む。
【００１８】
ステップＳ０１において、ＰＲＡＣＨに検索し、予め設定された範囲とマッチングするプリアンブルシーケンスを取得する。
【００１９】
図２を参照して、図２は本発明の実施例に係るランダムアクセス応答方法におけるランダムアクセス信号流れ図であり、以下のステップを含む。
【００２０】
ステップ２０１において、基地局、即ち、ｅＮＢは、ＵＥへシステム共通情報（ＳＩＢ／ＭＩＢ）を送信する。
【００２１】
ステップ２０２において、ＵＥは、システム共通情報を受信した後に、基地局へランダムアクセスプリアンブルシーケンスのＭＳＧ１（Ｍｅｓｓｅｎｇｅｒ：インスタントメッセージ）要求を送信する。
【００２２】
ステップ２０３において、基地局は、ＭＳＧ１要求を受信した後に、ＵＥへランダムアクセスプリアンブルシーケンスのＭＳＧ２応答を返信する。
【００２３】
ここで、基地局は、すべてのプリアンブルシーケンスを順次トラバースし、ＰＲＡＣＨに検索し、すべてのマッチングされるプリアンブルシーケンスを検索する。一つの好ましい実施例において、プリアンブルシーケンスの値の範囲が[０、６３]であり、基地局は、昇順でプリアンブルシーケンスを用いてＰＲＡＣＨに検索し、すべてのマッチングされるプリアンブルシーケンスを保存する。例えば現在の時点に検索された、マッチングされたプリアンブルシーケンスが｛１８、２０、２２、５５｝である。
【００２４】
ステップＳ０２において、割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断し、そうであれば、ステップＳ０３を実行する。
【００２５】
基地局は、保存された現在の時点にトリガされる可能性がある割り当てられた非競合ランダムアクセスプリアンブルシーケンスと検索された、マッチングされたプリアンブルシーケンスを比較し、例えば基地局がこの前に保存した非競合ランダムアクセスプリアンブルシーケンスが{５０、５５}であり、ステップＳ０１におけるマッチングされたプリアンブルシーケンス｛１８、２０、２２、５５｝に検索し、プリアンブルシーケンス５５の非競合ランダムアクセスプリアンブルシーケンスが存在すると、この時点に非競合ランダムアクセスが存在することを示す。基地局がこの前に保存した非競合ランダムアクセスプリアンブルシーケンスが｛５０｝であり、ステップＳ０１におけるマッチングされたプリアンブルシーケンスに検出しないと、この時点に非競合ランダムアクセスが発生しないことを示す。
【００２６】
ステップＳ０３において、前記非競合ランダムアクセスプリアンブルシーケンスに対応する非競合ランダムアクセスのためにＲＡＲリソースを割り当てる。
【００２７】
基地局は、保存された現在の時点にトリガされる可能性がある非競合ランダムアクセスプリアンブルシーケンスと検索された、マッチングされたプリアンブルシーケンスを比較して、検索されたプリアンブルシーケンスに非競合ランダムアクセスプリアンブルシーケンスが存在すると、基地局は、非競合ランダムアクセスプリアンブルシーケンスに対応する非競合ランダムアクセスのためにＲＡＲリソースを優先的に割り当てて、非競合ランダムアクセスに対応するＲＡＲリソース割り当てが終了した後に、競合ランダムアクセスプリアンブルシーケンスに対応する競合ランダムアクセスに対応するＲＡＲリソース割り当てを行う。具体的には、一つの好ましい実施例において、基地局は、まずプリアンブルシーケンス５５の非競合ランダムアクセスのためにＲＡＲリソースを割り当てて、次にプリアンブルシーケンス｛１８、２０、２２｝の競合ランダムアクセスのためにＲＡＲリソースを割り当てる。このようにしてＲＡＲリソースが限られる時に、非競合ランダムアクセスが優先的に応答を取ることができることが保証される。
【００２８】
一つの好ましい実施例において、前記ＲＡＲリソースにおけるＲＡＲの構成図について、図３を参照して、図３は本発明の実施例に係るランダムアクセス応答方法におけるＲＡＲのメンバ構成を示す。一つの好ましい実施例において、ＲＡＲに携帯されるリソースは、ＵＥが上りリンク搬送データを送信する時に用いる周波数領域及びサイズを指示することに用いられ、対応する記述フィールドがＲＡＲにおけるＵＬ  Ｇｒａｎｔフィールドである。前記ＲＡＲリソースは、上りリンク負荷を搬送するための周波数領域リソース、時間調整量ＴＡおよびセル無線ネットワーク一時識別子（Ｔｅｍｐｏｒａｒｙ  Ｃ-ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含む。本発明の実施例に係るランダムアクセス応答方法におけるＭＡＣサブヘッダとＭＡＣ  ＲＡＲが含まれるＭＡＣ  ＰＤＵを示す図４を参照して、図４に示すように、ＭＡＣ  ＰＤＵに携帯されるＭＡＣ  ｓｕｂｈｅａｄｅｒがＭＡＣ  ＲＡＲリソースに含まれない。
【００２９】
本実施例において、ＰＲＡＣＨに検索し、予め設定された範囲とマッチングするプリアンブルシーケンスを取得し、割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを優先的に割り当てる方法により、複数のＵＥが同時にランダムアクセスを開始する場合に基地局が異なるアクセスタイプに応じて異なる優先順位の応答を行うという有益な効果を達成し、リソース利用率とシステム全体性能を向上させ、非競合ランダムアクセス遅延を低減させる。
【００３０】
図５を参照して、図５は本発明に係るランダムアクセス応答方法の第二の実施例のプロセスを示す図である。本実施例と本発明に係るランダムアクセス応答方法の第一の実施例との違いは、ステップＳ０４を追加しただけである。本実施例においてステップＳ０４のみが具体的に説明し、本実施例に係るランダムアクセス応答方法に関する他のステップに対して関連する実施例の具体的な説明を参照し、ここでは説明は省略する。
【００３１】
図５に示すように、保存された現在のプリアンブルシーケンスと前記マッチングされたプリアンブルシーケンスを比較して、前記マッチングされたプリアンブルシーケンスに非競合ランダムアクセスプリアンブルシーケンスが存在するかどうかを判断するステップＳ０２の後に、本実施例に係るランダムアクセス応答方法は、
存在しなければ、競合ランダムアクセスプリアンブルシーケンスに対応する競合ランダムアクセスのためにＲＡＲリソースを予め設定された順番で割り当てるステップＳ０４をさらに含む。
【００３２】
検索されたプリアンブルシーケンスに非競合ランダムアクセスプリアンブルシーケンスが存在すると、基地局は、非競合ランダムアクセスプリアンブルシーケンスに対応する非競合ランダムアクセスのためにＲＡＲリソースを優先的に割り当てて、非競合ランダムアクセスに対応するＲＡＲリソース割り当てが終了した後に、競合ランダムアクセスプリアンブルシーケンスに対応する競合ランダムアクセスのためにＲＡＲリソースをランダムアクセスプリアンブルの順番で割り当てる。具体的には、例えば基地局により保存された現在の時点にトリガされる可能性がある非競合ランダムアクセスプリアンブルシーケンスが{５０}であり、現在の時点に検出された、マッチングされたプリアンブルシーケンスが｛１８、２０、２２、５５｝であり、その中に非競合ランダムアクセスプリアンブルシーケンス５０が含まれないと、基地局は、競合ランダムアクセスプリアンブルシーケンスに対応する競合ランダムアクセスのためにＲＡＲリソースを競合ランダムアクセスプリアンブルシーケンスの順番で順次割り当てる。本発明の実施例に係るランダムアクセス応答方法における競合に基づくランダムアクセス信号流れ図６を参照して、図６に示すように、競合ランダムアクセスの場合、ＵＥは、利用可能な複数のランダムアクセスリソースにランダムに選択する。
【００３３】
一つの好ましい実施例において、同じ時点に、基地局は、同時に競合ランダムアクセスプリアンブルシーケンスと非競合ランダムアクセスプリアンブルシーケンスを検出した場合に、ＲＡＲ応答を行う時に優先的に非競合ランダムアクセスプリアンブルシーケンスに応答する。この理由は、非競合ランダムアクセスと競合ランダムアクセスのプロセスが異なるランダムアクセスシーンに対応し、非競合ランダムアクセスが、下りリンクデータがトリガされるまで切り替えて上りリンクが同期外れるランダムアクセスシーンに応用され、競合ランダムアクセスが以上の２つのシーンに加えて、初期ランダムアクセス、再構成トリガのランダムアクセスおよび上りリンクデータがトリガされるまで上りリンクが同期外れるランダムアクセスに応用され、これに対して、非競合ランダムアクセスプロセス応用場合のアクセス遅延に対する要求が高い。次に、非競合ランダムアクセスが基地局の主導で行われるランダムアクセスプロセスであるので、基地局のこのようなアクセスに対する応答の優先順位が高くあるべきである。第三に、基地局がランダムアクセス検出を行う時に、誤検出の可能性があるので、同じＴＴＩ内に検出された複数のプリアンブルシーケンスに、非競合ランダムアクセスプリアンブルシーケンスに対応する誤検出確率が他の競合ランダムアクセスプリアンブルシーケンスより小さい。したがって、優先的に非競合ランダムアクセスプリアンブルシーケンスに応答する。
【００３４】
本実施例は、マッチングされたプリアンブルシーケンスに非競合ランダムアクセスプリアンブルシーケンスが存在しないと確定した場合、競合ランダムアクセスのためにＲＡＲリソースを予め設定された順番で割り当てる方法により、システムリソース利用率を向上させる有益な効果を持つ。
【００３５】
図７を参照して、図７は本発明に係るランダムアクセス応答方法の第三の実施例のプロセスを示す図である。本実施例と本発明に係るランダムアクセス応答方法の第二の実施例との違いは、ステップＳ０５を追加しただけである。本実施例においてステップＳ０５のみに対して具体的に説明し、本実施例に係るランダムアクセス応答方法に関する他のステップに対して実施例に関連する具体的な説明を参照し、ここでは説明は省略する。
【００３６】
図７に示すように、保存された現在のプリアンブルシーケンスと前記マッチングされたプリアンブルシーケンスを比較して、前記マッチングされたプリアンブルシーケンスに非競合ランダムアクセスプリアンブルシーケンスが存在するかどうかを判断するステップＳ０２の前に、本実施例に係るランダムアクセス応答方法は、
前記マッチングされたプリアンブルシーケンスを非競合ランダムアクセスプリアンブルシーケンスと競合ランダムアクセスプリアンブルシーケンスに分けるステップＳ０５をさらに含む。
【００３７】
基地局は、利用可能なプリアンブルシーケンスを競合ランダムアクセスプリアンブルシーケンスと非競合ランダムアクセスプリアンブルシーケンスに分ける。競合ランダムアクセスと非競合ランダムアクセスに対して基地局は事前に知ることができる。なぜならば、非競合ランダムアクセスプリアンブルシーケンストリガインデックスが基地局によって送信されるからである。したがって、同じ時点に基地局が同時に競合ランダムアクセスプリアンブルシーケンスと非競合ランダムアクセスプリアンブルシーケンスを検出した場合、ＲＡＲ応答を行う時に優先的に非競合ランダムアクセスプリアンブルシーケンスに応答する。
【００３８】
本実施例に係るマッチングされたプリアンブルシーケンスを非競合ランダムアクセスプリアンブルシーケンスと競合ランダムアクセスプリアンブルシーケンスに分ける方法は、後続の基地局が同じ時点に競合ランダムアクセスプリアンブルシーケンスと非競合ランダムアクセスプリアンブルシーケンスを同時に検出する重要な前提であり、リソース利用率を向上させる有益な効果を持つ。
【００３９】
図８を参照して、図８は本発明に係るランダムアクセス応答装置の第一の実施例の構成を示す図である。図８に示すように、本発明の実施例に係るランダムアクセス応答装置は、以下のモジュールを含む。
【００４０】
プリアンブルシーケンス取得モジュール０１は、ＰＲＡＣＨに検索し、予め設定された範囲とマッチングするプリアンブルシーケンスを取得するように構成される。
【００４１】
本発明の実施例に係るランダムアクセス応答方法におけるランダムアクセス信号流れ図２を参照して、以下のステップを含む。
【００４２】
ステップ２０１において、基地局、即ちｅＮＢは、ＵＥへシステム共通情報（ＳＩＢ／ＭＩＢ）を送信する。
【００４３】
ステップ２０２において、ＵＥは、システム共通情報を受信した後に、基地局へランダムアクセスプリアンブルシーケンスのＭＳＧ１（Ｍｅｓｓｅｎｇｅｒ：インスタントメッセージ）要求を送信する。
【００４４】
ステップ２０３において、基地局は、ＭＳＧ１要求を受信した後に、ＵＥへランダムアクセスプリアンブルシーケンスのＭＳＧ２応答を返す。
【００４５】
ここで、基地局のプリアンブルシーケンス取得モジュール０１は、すべてのプリアンブルシーケンスを順次トラバースし、ＰＲＡＣＨに検索し、すべてのマッチングされたプリアンブルシーケンスを検出する。一つの好ましい実施例において、プリアンブルシーケンスの値の範囲が[０、６３]である。プリアンブルシーケンス取得モジュール０１は、昇順でプリアンブルシーケンスを用いてＰＲＡＣＨに検索し、すべてのマッチングされたプリアンブルシーケンスを保存する。例えば現在の時点に検出された、マッチングされたプリアンブルシーケンスが｛１８、２０、２２、５５｝である。
【００４６】
ランダムアクセス判断モジュール０２は、割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在するかどうかを判断するように構成される。
【００４７】
基地局のランダムアクセス判断モジュール０２は、保存された現在の時点にトリガされる可能性がある非競合ランダムアクセスプリアンブルシーケンスと検索された、マッチングされたプリアンブルシーケンスを比較し、例えば基地局がこの前に保存した非競合ランダムアクセスプリアンブルシーケンスが｛５０、５５｝であり、ランダムアクセス判断モジュール０２は、プリアンブルシーケンス取得モジュール０１によってマッチングされたプリアンブルシーケンス｛１８、２０、２２、５５｝に検索し、プリアンブルシーケンス５５の非競合ランダムアクセスプリアンブルシーケンスが存在すると、この時点に非競合ランダムアクセスが存在することを示す。基地局がこの前に保存した非競合ランダムアクセスプリアンブルシーケンスが｛５０｝であり、ランダムアクセス判断モジュール０２がプリアンブルシーケンス取得モジュール０１においてマッチングされたプリアンブルシーケンスに検出しないと、この時点に非競合ランダムアクセスが発生しないことを示す。
【００４８】
ランダムアクセス応答モジュール０３は、前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを割り当てるように構成される。
【００４９】
前記ランダムアクセス応答モジュール０３は、さらに、前記マッチングされたプリアンブルシーケンスに非競合ランダムアクセスプリアンブルシーケンスが存在しないと確定した場合、競合ランダムアクセスプリアンブルシーケンスに対応する競合ランダムアクセスのためにＲＡＲリソースを予め設定された順番で割り当てるように構成される。
【００５０】
ランダムアクセス判断モジュール０２は、保存された現在の時点にトリガされる可能性がある非競合ランダムアクセスプリアンブルシーケンスと検索された、マッチングされたプリアンブルシーケンスを比較して、検索されたプリアンブルシーケンスに非競合ランダムアクセスプリアンブルシーケンスが存在すると、ランダムアクセス応答モジュール０３は、非競合ランダムアクセスプリアンブルシーケンスに対応する非競合ランダムアクセスのためにＲＡＲリソースを優先的に割り当てる。非競合ランダムアクセスに対応するＲＡＲリソース割り当てが終了した後に、ランダムアクセス応答モジュール０３は、競合ランダムアクセスプリアンブルシーケンスに対応する競合ランダムアクセスのためにＲＡＲリソースを予め設定された順番で割り当てる。
【００５１】
具体的には、一つの好ましい実施例において、ランダムアクセス応答モジュール０３は、まずプリアンブルシーケンス５５の非競合ランダムアクセスのためにＲＡＲリソースを割り当てて、次にプリアンブルシーケンス｛１８、２０、２２｝の競合ランダムアクセスのためにＲＡＲリソースを割り当てる。このようにしてＲＡＲリソースが限られる時に、非競合ランダムアクセスが優先的に応答を取ることができることが保証される。前記ＲＡＲリソースにおけるＲＡＲの構成に関して図３における前記実施例の具体な説明を参照し、本発明の実施例に係るランダムアクセス応答方法におけるＭＡＣ  ｓｕｂｈｅａｄｅｒとＭＡＣ  ＲＡＲが含まれるＭＡＣ  ＰＤＵの記述に関して図４における前記実施の具体的な説明を参照し、ここでは説明は省略する。
【００５２】
ランダムアクセス判断モジュール０２がマッチングされたプリアンブルシーケンスに非競合ランダムアクセスプリアンブルシーケンスが存在しないと確定した場合、ランダムアクセス応答モジュール０３は、競合ランダムアクセスプリアンブルシーケンスに対応する競合ランダムアクセスのためにＲＡＲリソースを順番で割り当てる。具体的には、例えば基地局によって保存された現在の時点にトリガされる可能性がある非競合ランダムアクセスプリアンブルシーケンスが｛５０｝であり、現在の時点にプリアンブルシーケンス取得モジュール０１により検出されたマッチングされたプリアンブルシーケンスが｛１８、２０、２２、５５｝であり、ランダムアクセス判断モジュール０２は非競合ランダムアクセスプリアンブルシーケンス５０が含まれないと確定した場合、ランダムアクセス応答モジュール０３は、競合ランダムアクセスプリアンブルシーケンスの順番で順次競合ランダムアクセスプリアンブルシーケンスに対応する競合ランダムアクセスのためにＲＡＲリソースを割り当てる。本発明に係るランダムアクセス応答方法における競合に基づくランダムアクセス信号流れ図に関して図６の前記実施例の具体的な説明を参照し、ここでは説明は省略する。
【００５３】
一つの実施例において、同じ時点に、基地局は、競合ランダムアクセスプリアンブルシーケンスと非競合ランダムアクセスプリアンブルシーケンスを同時に検出した場合に、ＲＡＲ応答を行う時に優先的に非競合ランダムアクセスプリアンブルシーケンスに応答する。この理由は、非競合ランダムアクセスと競合ランダムアクセスのプロセスが異なるランダムアクセス場合に対応し、非競合ランダムアクセスが、下りリンクデータがトリガされるまで切り替えて上りリンクが同期外れるランダムアクセスシーンに応用され、競合ランダムアクセスが以上の２つの場合に加えて、初期ランダムアクセス、再構成トリガのランダムアクセスおよび上りリンクデータがトリガされるまで上りリンクが同期外れるランダムアクセスに応用され、これに対して、非競合ランダムアクセスプロセス応用シーンのアクセス遅延に対する要求が高い。次に、非競合ランダムアクセスが基地局の主導で行われるランダムアクセスプロセスであるので、基地局のこのようなアクセスに対する応答の優先順位が高くあるべきである。第三に、基地局がランダムアクセス検出を行う時に、誤検出の可能性があるので、同じＴＴＩ内に検出された複数のプリアンブルシーケンスに、非競合ランダムアクセスプリアンブルシーケンスに対応する誤検出確率が他の競合ランダムアクセスプリアンブルシーケンスより小さい。したがって、優先的に非競合ランダムアクセスプリアンブルシーケンスに応答する。
【００５４】
本実施例において、ＰＲＡＣＨに検索し、予め設定された範囲とマッチングするプリアンブルシーケンスを取得し、割り当てられた非競合ランダムアクセスプリアンブルシーケンスと前記マッチングされたプリアンブルシーケンスを比較して、前記マッチングされたプリアンブルシーケンスに非競合ランダムアクセスプリアンブルシーケンスが存在すると確定した場合、前記非競合ランダムアクセスプリアンブルシーケンスに対応する非競合ランダムアクセスのためにＲＡＲリソースを優先的に割り当てることにより、複数のＵＥが同時にランダムアクセスを開始する場合に基地局が異なるアクセスタイプに応じて異なる優先順位の応答を行うという有益な効果を達成し、リソース利用率とシステム全体性能を向上させ、非競合ランダムアクセス遅延を低減させる。
【００５５】
図９を参照して、図９は本発明に係るランダムアクセス応答装置の第二の実施例の構成を示す。本実施例と本発明に係るランダムアクセス応答装置の第一の実施例との違いは、ランダムアクセス分類モジュール０４を追加しただけである。本実施例においてランダムアクセス分類モジュール０４のみに関して具体的に説明する。本実施例に係るランダムアクセス応答装置に関する他のモジュールに対して関連する実施例の具体的な説明を参照し、ここでは説明は省略する。
【００５６】
図９に示すように、本発明の実施例に係るランダムアクセス応答装置は、
前記マッチングされたプリアンブルシーケンスを非競合ランダムアクセスプリアンブルシーケンスと競合ランダムアクセスプリアンブルシーケンスに分けるように構成されるランダムアクセス分類モジュール０４をさらに含む。
【００５７】
基地局のランダムアクセス分類モジュール０４は、利用可能なプリアンブルシーケンスを競合ランダムアクセスプリアンブルシーケンスと非競合ランダムアクセスプリアンブルシーケンスに分ける。競合ランダムアクセスと非競合ランダムアクセスに対して基地局は、事前に知ることができる。なぜならば、非競合ランダムアクセスプリアンブルシーケンスインデックスが基地局によって送信されるからである。したがって、同じ時点に基地局が同時に競合ランダムアクセスプリアンブルシーケンスと非競合ランダムアクセスプリアンブルシーケンスを検出した場合、ＲＡＲ応答を行う時に優先的に非競合ランダムアクセスプリアンブルシーケンスに応答する。
【００５８】
実際に応用する場合、プリアンブルシーケンス取得モジュール、ランダムアクセス判断モジュール、ランダムアクセス応答モジュールおよびランダムアクセス分類モジュールは、ランダムアクセス応答装置における中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）またはフィールドプログラマブルゲートアレイ（ＦＰＧＡ：Ｆｉｅｌｄ-Ｐｒｏｇｒａｍｍａｂｌｅ  Ｇａｔｅ  Ａｒｒａｙ）によって実現される。
【００５９】
本実施例においてマッチングされたプリアンブルシーケンスを非競合ランダムアクセスプリアンブルシーケンスと競合ランダムアクセスプリアンブルシーケンスに分けることは、後続の基地局が同じ時点に競合ランダムアクセスプリアンブルシーケンスと非競合ランダムアクセスプリアンブルシーケンスを同時に検出する時に優先的に非競合ランダムアクセスプリアンブルシーケンスに応答する重要な前提であり、リソース利用率を向上させる有益な効果を持つ。
【００６０】
上記は、本発明の好ましい実施例に過ぎなく、その特許範囲は制限されず、本発明の明細書および図面内容を用いて行われる等価構造または等価プロセス変換は、直接または間接に他の関連する技術分野に応用され、いずれも同様に本発明の特許保護範囲に含まれる。
【図１】
0005996114.tif 000002
【図２】
0005996114.tif 000003
【図３】
0005996114.tif 000004
【図４】
0005996114.tif 000005
【図５】
0005996114.tif 000006
【図６】
0005996114.tif 000007
【図７】
0005996114.tif 000008
【図８】
0005996114.tif 000009
【図９】
0005996114.tif 000010